(57)【要約】【課題】一斉放送時の音声信号の減衰を抑えつつ個別通話と一斉放送で同じ信号線を共用する。【解決手段】管理室インターホン３には、一斉放送時に増幅器３４ｂの出力端を放送用低インピーダンス駆動回路３２に接続する状態に切り替える第１の切替スイッチ３３と、通話線Ｌａを放送用低インピーダンス駆動回路３２に出力する状態に切り替える第２の切替スイッチ３５とが設けられている。従って、一斉放送用経路の出力インピーダンスが放送用低インピーダンス駆動回路３２によって住戸機２の入力インピーダンスよりも低いインピーダンスにインピーダンス変換されるため、従来例のようにマッチングトランス１２２でインピーダンス整合を行う場合に比較して、一斉放送の対象となる住戸機２の台数が増加した場合でも音声信号の減衰を抑制することができる。【選択図】        図１
2006333384.tif 000002
【特許請求の範囲】
【請求項１】
集合住宅の共用玄関に設置され音声の入出力が可能な共用部装置と、集合住宅の管理室に設置され音声の入出力が可能な通話装置と、集合住宅の各住戸にそれぞれ設置され共用部装置並びに通話装置とは伝送線路を介して接続されるとともに共用部装置若しくは通話装置が有する選択手段が操作されることにより選択されると共用部装置又は通話装置との間で通信路を確立する複数台の住戸機とを備え、
伝送線路は、共用部装置並びに通話装置に接続された幹線と各住戸機に接続された住戸別線とを含み、幹線および住戸別線は、少なくとも選択手段の操作に伴って発生し個別通話の開始を指示する制御信号を伝送する制御線と、音声信号を伝送する信号線とからなり、
住戸機は、共用部装置並びに通話装置との間で各々信号線を介した通話を行う通話手段と、制御線を介して伝送される制御信号を受信したときに通話手段を住戸別線の信号線に接続して通信路を確立させる制御手段とを備え、
通話装置は、住戸機との間で信号線を介した通話を行う通話手段と、通話相手の住戸機を選択するための選択手段と、複数の住戸機を対象とした一斉放送の開始を指示する一斉放送開始指示手段と、選択手段で選択された住戸機に対して個別通話の開始を指示する制御信号を制御線を介して伝送するとともに一斉放送開始指示手段で一斉放送の開始が指示されたときに対象となる複数の住戸機に対して一斉放送の開始を指示する制御信号を制御線を介して伝送する制御手段とを備え、
住戸機における入力及び出力のインピーダンスと整合したインピーダンスを有した個別通話用経路と、住戸機における入力及び出力のインピーダンスよりも低いインピーダンスを有した一斉放送用経路と、個別通話時には個別通話用経路で音声信号を伝送するとともに一斉放送時には一斉放送用経路で音声信号を伝送する経路切替手段とが通話装置若しくは幹線に含まれる信号線上に設けられたことを特徴とする集合住宅用インターホンシステム。
【請求項２】
共用部装置は、来訪者を撮像して得られる映像信号を音声信号の周波数帯域と異なる周波数帯域で周波数変調して出力し、
個別通話用経路と、一斉放送用経路と、経路切替手段と、信号線を介して伝送される音声信号に共用部装置から出力される映像信号を周波数多重化する多重化手段とを具備する幹線装置を備えたことを特徴とする請求項１記載の集合住宅用インターホンシステム。
【請求項３】
幹線に含まれる信号線上に個別通話用経路と一斉放送用経路と経路切替手段とが設けられたことを特徴とする請求項１記載の集合住宅用インターホンシステム。
【請求項４】
通話装置に個別通話用経路と一斉放送用経路と経路切替手段とが設けられるとともに、
複数系統の幹線を共用部装置並びに通話装置に選択的に接続する幹線装置を備え、幹線装置は、各幹線毎に設けられる個別通話用経路と、１つの幹線を除く他の全ての幹線毎に設けられる一斉放送用経路と、各幹線毎に個別通話用経路と一斉放送用経路を切り替える経路切替手段とを具備することを特徴とする請求項１記載の集合住宅用インターホンシステム。
【請求項５】
共用部装置は、来訪者を撮像して得られる映像信号を音声信号の周波数帯域と異なる周波数帯域で周波数変調して幹線装置に送信し、
幹線装置は、共用部装置から送られてくる周波数変調された映像信号を増幅する映像信号増幅手段と、映像信号増幅手段の出力端を複数系統の幹線に択一的に切り替えて接続する映像信号出力切替手段と、信号線を介して伝送される音声信号に映像信号増幅手段で増幅された映像信号を周波数多重化する多重化手段と、映像信号増幅手段の出力端に接続された個別通話用経路と、１系統の幹線を除く他の全ての幹線毎に設けられる一斉放送用経路と、各幹線毎に個別通話用経路と一斉放送用経路を切り替える経路切替手段とを具備することを特徴とする請求項４記載の集合住宅用インターホンシステム。
【請求項６】
複数系統の幹線を共用部装置並びに通話装置に選択的に接続する幹線装置を備え、幹線装置は、各幹線毎に設けられる個別通話用経路と、各幹線毎に設けられる一斉放送用経路と、各幹線毎に個別通話用経路と一斉放送用経路を切り替える経路切替手段とを具備することを特徴とする請求項３記載の集合住宅用インターホンシステム。
【請求項７】
共用部装置は、来訪者を撮像して得られる映像信号を音声信号の周波数帯域と異なる周波数帯域で周波数変調して幹線装置に送信し、
幹線装置は、共用部装置から送られてくる周波数変調された映像信号を増幅する映像信号増幅手段と、映像信号増幅手段の出力端を複数系統の幹線に択一的に切り替えて接続する映像信号出力切替手段と、信号線を介して伝送される音声信号に映像信号増幅手段で増幅された映像信号を周波数多重化する多重化手段と、映像信号増幅手段の出力端に接続された個別通話用経路と、各幹線毎に設けられる一斉放送用経路と、各幹線毎に個別通話用経路と一斉放送用経路を切り替える経路切替手段とを具備することを特徴とする請求項６記載の集合住宅用インターホンシステム。
【請求項８】
幹線装置は、一斉放送時に映像信号増幅手段の出力端を何れの幹線からも切り離す手段を具備することを特徴とする請求項５又は７記載の集合住宅用インターホンシステム。
【請求項９】
１系統の幹線を複数系統の幹線に分配する幹線分配装置を備え、幹線分配装置は、複数系統の各幹線毎に設けられる個別通話用経路と、各幹線毎に設けられる一斉放送用経路と、各幹線毎に個別通話用経路と一斉放送用経路を切り替える経路切替手段とを具備することを特徴とする請求項４〜８の何れかに記載の集合住宅用インターホンシステム。
【発明の詳細な説明】
【技術分野】
【０００１】
本発明は、集合住宅の共用玄関に設置された共用部装置並びに管理室に設置された通話装置と各住戸にそれぞれ設置される住戸機の何れか１台との間で択一的に通信路を確立して通話可能とする集合住宅用インターホンシステムに関し、特に共用部装置並びに通話装置と１台の住戸機とが一対一で通話する個別通話の他に、通話装置により複数の住戸機へ一斉放送を行うことができる集合住宅用インターホンシステムに関するものである。
【背景技術】
【０００２】
従来より、集合住宅の共用玄関に設置された共用部装置並びに管理室に設置された通話装置と各住戸にそれぞれ設置される住戸機の何れか１台との間で択一的に通信路を確立して通話可能とし、さらに共用部装置並びに通話装置と１台の住戸機とが一対一で通話する個別通話の他に、通話装置により複数の住戸機へ一斉放送を行うことができる集合住宅用インターホンシステムが提供されている（例えば、特許文献１参照）。
【０００３】
図９は特許文献１に記載されている従来例を示すシステム構成図である。集合住宅の管理室に設置される通話装置（管理室インターホン）１００は、マイクロホン１０１ａ及びスピーカ１０１ｂ、マイクロホン１０１ａの出力（送話信号）を増幅する送話アンプ１０１ｃ、スピーカ１０１ｂへの入力（受話信号）を増幅する受話アンプ１０１ｄ、２線の通話線Ｌａと２個のアンプ１０１ｃ，１０１ｂの入力線及び出力線とを２線４線変換する２線４線変換回路１０１ｅを具備する通話回路１０１を備えている。
【０００４】
一方、各住戸に設置される住戸機１１０は、マイクロホン１１１ａ及びスピーカ１１１ｂ、マイクロホン１１１ａの出力（送話信号）を増幅する送話アンプ１１１ｃ、スピーカ１１１ｂへの入力（受話信号）を増幅する受話アンプ１１１ｄ、２線の通話線Ｌａと２個のアンプ１１１ｃ，１１１ｂの入力線及び出力線とを２線４線変換する２線４線変換回路１１１ｅを具備する通話回路１１１と、通話回路１１１を通話線Ｌａに接続する状態と接続しない状態を切り替える接続スイッチ１１２とを備え、図示しない制御線を介して伝送される制御信号によって通話装置１００から通話開始の指示を受け取ったときに接続スイッチ１１２を閉じて通話装置１００との間で通信路が確立されて個別通話が可能になる。また、通話装置１００が複数の住戸機１１０を対象とした一斉放送を行う場合、制御線を介して伝送される制御信号によって通話装置１００から一斉放送開始の指示を受け取った各住戸機１１０において、接続スイッチ１１２を閉じて通話装置１００との間で各々通信路が確立され、通話装置１００から通話線Ｌａを介して伝送される一斉放送の音声が対象となっている複数の住戸機１１０のスピーカ１１１ｂから送出されることになる。
【０００５】
さらに上記従来例では、個別通話用の通話線Ｌａを使って一斉放送を行うために通話装置１００と住戸機１１０との間の通話線Ｌａ上に主装置１２０が設けられている。この主装置１２０は、一斉放送時の音声信号を増幅する増幅器１２１と、複数の住戸機１１０が接続された通話線Ｌａの音声信号の周波数帯域におけるインピーダンスに整合させるためのマッチングトランス１２２と、マッチングトランス１２２並びに増幅器１２１の直列回路を住戸機１１０側の通話線Ｌａに接続する状態と接続しない状態を切り替える第１の切替スイッチ１２３と、音声信号が増幅器１２１、マッチングトランス１２２、第１の切替スイッチ１２３を通る経路と通らない経路を択一的に切り替える第２の切替スイッチ１２４とを備える。すなわち、主装置１２０において個別通話時に第１の切替スイッチ１２３を開くとともに第２の切替スイッチ１２４を閉じることで増幅器１２１、マッチングトランス１２２、第１の切替スイッチ１２３を通らない経路で音声信号を伝送し、一斉放送時に第１の切替スイッチ１２３を閉じるとともに第２の切替スイッチ１２４を開くことで増幅器１２１、マッチングトランス１２２、第１の切替スイッチ１２３を通る経路で音声信号を伝送し個別通話と一斉放送とで通話線Ｌａが共用できるものである。
【特許文献１】特公平８−２８７８０号公報
【発明の開示】
【発明が解決しようとする課題】
【０００６】
しかしながら上記従来例では、一斉放送の音声信号が主装置１２０においてマッチングトランス１２２を介することで通話線Ｌａのインピーダンスや住戸機１１０の受話インピーダンスと整合したインピーダンスで伝送されるため、一斉放送の対象となる住戸機１１０の台数が増加するにつれて音声信号の減衰が大きくなり、それを補うために主装置１２０の増幅器１２１の増幅度を大きくしなければならないという問題がある。
【０００７】
本発明は上記事情に鑑みてなされたものであり、その目的は、一斉放送時の音声信号の減衰を抑えつつ個別通話と一斉放送で同じ信号線を共用することができる集合住宅用インターホンシステムを提供することにある。
【課題を解決するための手段】
【０００８】
請求項１の発明は、上記目的を達成するために、集合住宅の共用玄関に設置され音声の入出力が可能な共用部装置と、集合住宅の管理室に設置され音声の入出力が可能な通話装置と、集合住宅の各住戸にそれぞれ設置され共用部装置並びに通話装置とは伝送線路を介して接続されるとともに共用部装置若しくは通話装置が有する選択手段が操作されることにより選択されると共用部装置又は通話装置との間で通信路を確立する複数台の住戸機とを備え、伝送線路は、共用部装置並びに通話装置に接続された幹線と各住戸機に接続された住戸別線とを含み、幹線および住戸別線は、少なくとも選択手段の操作に伴って発生し個別通話の開始を指示する制御信号を伝送する制御線と、音声信号を伝送する信号線とからなり、住戸機は、共用部装置並びに通話装置との間で各々信号線を介した通話を行う通話手段と、制御線を介して伝送される制御信号を受信したときに通話手段を住戸別線の信号線に接続して通信路を確立させる制御手段とを備え、通話装置は、住戸機との間で信号線を介した通話を行う通話手段と、通話相手の住戸機を選択するための選択手段と、複数の住戸機を対象とした一斉放送の開始を指示する一斉放送開始指示手段と、選択手段で選択された住戸機に対して個別通話の開始を指示する制御信号を制御線を介して伝送するとともに一斉放送開始指示手段で一斉放送の開始が指示されたときに対象となる複数の住戸機に対して一斉放送の開始を指示する制御信号を制御線を介して伝送する制御手段とを備え、住戸機における入力及び出力のインピーダンスと整合したインピーダンスを有した個別通話用経路と、住戸機における入力及び出力のインピーダンスよりも低いインピーダンスを有した一斉放送用経路と、個別通話時には個別通話用経路で音声信号を伝送するとともに一斉放送時には一斉放送用経路で音声信号を伝送する経路切替手段とが通話装置若しくは幹線に含まれる信号線上に設けられたことを特徴とする。
【０００９】
請求項２の発明は、請求項１の発明において、共用部装置は、来訪者を撮像して得られる映像信号を音声信号の周波数帯域と異なる周波数帯域で周波数変調して出力し、個別通話用経路と、一斉放送用経路と、経路切替手段と、信号線を介して伝送される音声信号に共用部装置から出力される映像信号を周波数多重化する多重化手段とを具備する幹線装置を備えたことを特徴とする。
【００１０】
請求項３の発明は、請求項１の発明において、幹線に含まれる信号線上に個別通話用経路と一斉放送用経路と経路切替手段とが設けられたことを特徴とする。
【００１１】
請求項４の発明は、請求項１の発明において、通話装置に個別通話用経路と一斉放送用経路と経路切替手段とが設けられるとともに、複数系統の幹線を共用部装置並びに通話装置に選択的に接続する幹線装置を備え、幹線装置は、各幹線毎に設けられる個別通話用経路と、１つの幹線を除く他の全ての幹線毎に設けられる一斉放送用経路と、各幹線毎に個別通話用経路と一斉放送用経路を切り替える経路切替手段とを具備することを特徴とする。
【００１２】
請求項５の発明は、請求項４の発明において、共用部装置は、来訪者を撮像して得られる映像信号を音声信号の周波数帯域と異なる周波数帯域で周波数変調して幹線装置に送信し、幹線装置は、共用部装置から送られてくる周波数変調された映像信号を増幅する映像信号増幅手段と、映像信号増幅手段の出力端を複数系統の幹線に択一的に切り替えて接続する映像信号出力切替手段と、信号線を介して伝送される音声信号に映像信号増幅手段で増幅された映像信号を周波数多重化する多重化手段と、映像信号増幅手段の出力端に接続された個別通話用経路と、１系統の幹線を除く他の全ての幹線毎に設けられる一斉放送用経路と、各幹線毎に個別通話用経路と一斉放送用経路を切り替える経路切替手段とを具備することを特徴とする。
【００１３】
請求項６の発明は、請求項３の発明において、複数系統の幹線を共用部装置並びに通話装置に選択的に接続する幹線装置を備え、幹線装置は、各幹線毎に設けられる個別通話用経路と、各幹線毎に設けられる一斉放送用経路と、各幹線毎に個別通話用経路と一斉放送用経路を切り替える経路切替手段とを具備することを特徴とする。
【００１４】
請求項７の発明は、請求項６の発明において、共用部装置は、来訪者を撮像して得られる映像信号を音声信号の周波数帯域と異なる周波数帯域で周波数変調して幹線装置に送信し、幹線装置は、共用部装置から送られてくる周波数変調された映像信号を増幅する映像信号増幅手段と、映像信号増幅手段の出力端を複数系統の幹線に択一的に切り替えて接続する映像信号出力切替手段と、信号線を介して伝送される音声信号に映像信号増幅手段で増幅された映像信号を周波数多重化する多重化手段と、映像信号増幅手段の出力端に接続された個別通話用経路と、各幹線毎に設けられる一斉放送用経路と、各幹線毎に個別通話用経路と一斉放送用経路を切り替える経路切替手段とを具備することを特徴とする。
【００１５】
請求項８の発明は、請求項５又は７の発明において、幹線装置は、一斉放送時に映像信号増幅手段の出力端を何れの幹線からも切り離す手段を具備することを特徴とする。
【００１６】
請求項９の発明は、請求項４〜８の何れかの発明において、１系統の幹線を複数系統の幹線に分配する幹線分配装置を備え、幹線分配装置は、複数系統の各幹線毎に設けられる個別通話用経路と、各幹線毎に設けられる一斉放送用経路と、各幹線毎に個別通話用経路と一斉放送用経路を切り替える経路切替手段とを具備することを特徴とする。
【発明の効果】
【００１７】
請求項１の発明によれば、個別通話時には経路切替手段により切り替えられた個別通話用経路を通して音声信号が伝送されるために誘導ノイズに対して耐性の高い通話が行え、一斉放送時には経路切替手段により切り替えられた一斉放送用経路を通して音声信号が伝送され、しかも、一斉放送用経路が住戸機における入力及び出力のインピーダンスよりも低いインピーダンスを有しているので、一斉放送の対象となる住戸機の台数が増加した場合でも音声信号の減衰を抑制することができ、個別通話と一斉放送とで信号線を共用することが可能になる。
【００１８】
請求項２の発明によれば、幹線装置の多重化手段によって音声信号と映像信号を多重化して共通の信号線で伝送するので、個別通話と一斉放送だけでなく映像についても信号線を共用することができ、さらなる省配線化が図れる。しかも、個別通話用経路と一斉放送用経路と経路切替手段を具備しない安価な通話装置を用いることができる。
【００１９】
請求項３の発明によれば、請求項１の発明と同様に一斉放送の対象となる住戸機の台数が増加した場合でも音声信号の減衰を抑制することができて個別通話と一斉放送とで信号線を共用することが可能になる。
【００２０】
請求項４の発明によれば、幹線装置において経路切替手段が個別通話用経路と一斉放送用経路とを切り替え、しかも、複数系統の幹線のうちの１系統の幹線については通話装置が有する一斉放送用経路を利用することによって幹線装置に設ける一斉放送用経路を減らすことができる。
【００２１】
請求項５の発明によれば、映像信号増幅手段を複数系統の幹線で共用することにより回路構成が簡素化できる。
【００２２】
請求項６の発明によれば、複数系統の幹線を介して一斉放送を行う場合においても音声信号の減衰を抑制することができて個別通話と一斉放送とで信号線を共用することが可能になり、しかも、個別通話用経路と一斉放送用経路と経路切替手段を具備しない安価な通話装置を用いることができる。
【００２３】
請求項７の発明によれば、映像信号増幅手段を複数系統の幹線で共用することにより回路構成が簡素化できる。
【００２４】
請求項８の発明によれば、幹線装置において一斉放送時に映像信号増幅手段の出力端を何れの幹線からも切り離すので、映像信号増幅手段の音声信号帯域に対する出力のインピーダンスの影響で一斉放送の音声信号が減衰することを防止できる。
【００２５】
請求項９の発明によれば、幹線装置で分配された複数系統の幹線をさらに幹線分配装置によって複数系統の幹線に分配することで幹線の系統数並びに住戸機の台数が大幅に増えた場合においても、一斉放送時の音声信号の減衰を抑制することができて個別通話と一斉放送とで信号線を共用することが可能になる。
【発明を実施するための最良の形態】
【００２６】
従来の技術として説明したように、伝送線路のうち制御線は共用部装置（ロビーインターホン）１並びに通話装置（管理室インターホン）３が相手先の住戸機２を選択するための制御信号を伝送するから、ロビーインターホン１および管理室インターホン３、住戸機２において制御線に接続される回路は常時動作させておくことが必要である。つまり、ロビーインターホン１並びに管理室インターホン３が住戸機２を選択するためのアドレスを含む制御信号は、すべての住戸機２に伝送されるから、すべての住戸機２において制御信号を受信するための受信回路や制御信号を解釈して必要な処理を行うＣＰＵは常時作動する。これに対して、音声信号および映像信号に対する処理は住戸機２の選択後に行えばよいから、音声信号と映像信号とは一括して扱うことができ、しかも、音声信号と映像信号とは周波数帯域が異なるから（音声信号に対して映像信号は周波数が十分に高い）、周波数多重化の技術によって多重化することができる。
【００２７】
そこで、以下に説明する実施形態では、ロビーインターホン１から映像線Ｌｂを介して伝送されるＦＭ映像信号を管理室インターホン３から通話線Ｌａを介して伝送される音声信号に多重化する多重化手段を幹線装置４に設け、幹線装置４から先においては伝送線路に用いる線数を従来構成よりも低減した例について説明する。なお、制御信号はロビーインターホン１並びに管理室インターホン３から住戸機２の呼出に用いるだけではなく、管理室インターホン３による一斉放送の開始を指示する目的にも用いられる。この種の制御信号にはベースバンド信号を用いることもあり、ベースバンド信号は周波数帯域が広く、音声信号や映像信号との分離が困難であるから、このことからも音声信号および映像信号と制御信号とを各別に伝送することが伝送品質の点から必要になる。
（実施形態１）
本実施形態のシステム構成図を図１に示す。本実施形態では、集合住宅の共用玄関に設置される共用部装置（ロビーインターホン）１と、管理室に設置される通話装置（管理室インターホン）３と、各住戸にそれぞれ配置される複数台の住戸機２とを備え、ロビーインターホン１並びに管理室インターホン３と住戸機２とが伝送線路を介して接続されている。伝送線路は、幹線装置４に接続される幹線Ｌ１と、幹線Ｌ１から分岐されて各住戸機２にそれぞれ接続される住戸別線Ｌ２とを含む。この伝送線路としては、２対以上のペア線をシース内に備える多対ツイストペアケーブルを用いており、図示例ではロビーインターホン１と住戸機２との間で、ロビーインターホン１が具備するカメラ（図示せず）で撮像された映像信号と音声信号とを多重伝送する信号線Ｌｄと、ロビーインターホン１又は管理室インターホン３が有する選択手段（後述する）により選択された住戸機２を指定する制御信号を伝送する制御線（図示せず）とにそれぞれペア線を用いている。つまり、図示例の伝送線路では２対のペア線を用いている。ここで、信号線Ｌｄを介して伝送される映像信号はロビーインターホン１において周波数変調され、周波数変調された映像信号（以下、「ＦＭ映像信号」と呼ぶ）と音声信号とが幹線装置４において多重化される。そして、信号線Ｌｄを介して音声信号と多重化されて伝送されるＦＭ映像信号が、後述するように各住戸機２に設けた多重分離回路２０１で分離された後にＦＭ復調部２５ａで周波数復調されてモニタ２２に表示される。
【００２８】
ロビーインターホン１は、音声を入出力するマイクロホン及びスピーカと、来訪者を撮像するカメラと、カメラから出力する映像信号を周波数変調するＦＭ変調回路と、住戸番号を指定するための番号キーと呼出釦を有する選択手段とを備え、来訪者が番号キーを操作して訪問先の住戸番号を選択した後に呼出釦を操作すると住戸番号に対応する住戸機２を選択したことになる。ここで、ロビーインターホン１は通話線Ｌａ及び制御線（図示せず）を介して管理室インターホン３と接続されており、ロビーインターホン１で選択された住戸番号が制御線（図示せず）を介して管理室インターホン３に伝送されると、管理室インターホン３が当該住戸番号に対応する住戸機２に対して制御線（図示せず）を介して制御信号（呼出コマンド）を送出する。またロビーインターホン１から管理室インターホン３を経由する通話線Ｌａを介して伝送される音声信号と、ロビーインターホン１から映像線Ｌｂを介して伝送されるＦＭ映像信号とが幹線装置４において多重化され、信号線Ｌｄを介して各住戸機２に伝送される。つまり、幹線装置４から住戸機２側においては信号線Ｌｄが通話線Ｌａ並びに映像線Ｌｂを兼ねていることになる。
【００２９】
一方、住戸機２は、音声を入出力するマイクロホン２１ａ及びスピーカ２１ｂを備え、マイクロホン２１ａとスピーカ２１ｂとはそれぞれ増幅器２４ａ，２４ｂを介して音声回路２４ｃに接続されている。ここで、上述のように音声信号と映像信号との両方で信号線Ｌｄを用いるために、住戸機２に多重分離回路２０１を設けている。多重分離回路２０１は、音声回路２４ｃと信号線Ｌｄとの間に挿入される低周波通過部２０１ａと、結合トランス２５ｃと信号線Ｌｄとの間に挿入される高周波通過部２０１ｂとからなる。低周波通過部２０１ａは音声信号に対して低インピーダンスであって映像信号に対して高インピーダンスのものを用い、高周波通過部２０１ｂは音声信号に対して高インピーダンスであって映像信号に対して低インピーダンスのものを用いる。図示例では、低周波通過部２０１ａとしてインダクタを用い、高周波通過部２０１ｂとしてコンデンサを用いている。音声回路２４ｃは、２線の信号線Ｌｄと２個の増幅器２４ａ，２４ｂの入力線及び出力線とを２線４線変換する回路を含み、マイクロホン２１ａから入力される音声信号を多重分離回路２０１を介して信号線Ｌｄに送出し、多重分離回路２０１で分離された信号線Ｌｄからの音声信号をスピーカ２１ｂ側に出力する機能を備えている。したがって、ロビーインターホン１並びに管理室インターホン３と住戸機２との間で信号線Ｌｄを通して音声信号を授受することができ、来訪者がロビーインターホン１を用いるとともに居住者が住戸機２を用いることによって来訪者と居住者との間で音声通話が可能となり、また、管理人が管理室インターホン３を用いるとともに居住者が住戸機２を用いることによって管理人と居住者との間で音声通話が可能となる。
【００３０】
住戸機２において、モニタ２２には液晶表示器あるいはＣＲＴが用いられる。信号線Ｌｄを通して住戸機２に入力されるＦＭ映像信号は、多重分離回路２０１で分離された後に平衡−不平衡変換のための結合トランス２５ｃを介して増幅器２５ｂに入力され、増幅器２５ｂで増幅された後にＦＭ復調部２５ａにおいて周波数復調される。ＦＭ復調部２５ａから出力された映像信号は、モニタ２２に入力されることによってモニタ２２の画面に映像を表示する。つまり、ロビーインターホン１のカメラにおいて撮像された来訪者の映像が住戸機２のモニタ２２に表示されるから、住戸内の居住者が来訪者を確認することができるのである。
【００３１】
住戸機２には内部回路を制御するＣＰＵ（図示せず）が設けられ、ＣＰＵには制御線（図示せず）とのインタフェースとなる制御信号送受信回路（図示せず）が接続される。制御信号送受信回路は、ＣＰＵから出力された制御信号を制御線（図示せず）に送出し、制御線（図示せず）から受信した制御信号をＣＰＵに引き渡す機能を有する。
【００３２】
ここで、制御線（図示せず）については、幹線Ｌ１と住戸別線Ｌ２とが分岐器７内において直結されている。したがって、管理室インターホン３から送出された制御信号は制御線（図示せず）に接続されるすべての住戸機２に伝送される。ここに、住戸機２のＣＰＵには個別にアドレス（たとえば、住戸番号）が設定されており、例えば、ロビーインターホン１においてアドレスを選択することによって、アドレスを指定する制御信号（呼出コマンド）が管理室インターホン３から制御線（図示せず）を介して全ての住戸機２に伝送することが可能になっている。住戸機２のＣＰＵは、制御信号に含まれるアドレスが自己のアドレスであれば、住戸別線Ｌ２の信号線Ｌｄにおける幹線Ｌ１と音声回路２４ｃとの間に挿入された住戸機リレーのリレー接点２９を閉成してロビーインターホン１との間に通信路を確立するとともに、ＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を鳴動させるように構成されている。
【００３３】
幹線装置４は、映像線Ｌｂを介してロビーインターホン１から伝送されてくるＦＭ映像信号を増幅する映像増幅器４１と、映像増幅器４１で増幅された後のＦＭ映像信号と管理室インターホン３を経由し通話線Ｌａを介してロビーインターホン１から伝送されてくる音声信号又は管理室インターホン３から通話線Ｌａを介して伝送されてくる音声信号とを多重化する多重化回路４０とを具備している。多重化回路４０は、通話線Ｌａと信号線Ｌｄとの間に挿入される低周波通過部４０ａと、映像増幅器４１と信号線Ｌｄとの間に挿入される高周波通過部４０ｂとからなる。図示例では、低周波通過部４０ａとしてインダクタを用い、高周波通過部４０ｂとしてコンデンサを用いている。但し、低周波通過部４０ａと信号線Ｌｄとの間には直流カット用のコンデンサが挿入されている。
【００３４】
管理室インターホン３は、音声を入出力するマイクロホン３１ａ及びスピーカ３１ｂを備え、マイクロホン３１ａとスピーカ３１ｂとはそれぞれ増幅器３４ａ，３４ｂを介して音声回路３４ｃに接続されている。音声回路３４ｃは、２線の通話線Ｌａと２個の増幅器３４ａ，３４ｂの入力線及び出力線とを２線４線変換する回路を含み、マイクロホン３１ａから入力される音声信号を通話線Ｌａに送出し、通話線Ｌａからの音声信号をスピーカ３１ｂ側に出力する機能を備えている。またマイクロホン３１ａに接続された増幅器３４ａと音声回路３４ｃとの間には、増幅器３４ａの出力端を音声回路３４ｃに接続する状態と放送用低インピーダンス駆動回路３２の入力端に接続する状態とを択一的に切り替える第１の切替スイッチ３３が設けられ、音声回路３４ｃと通話線Ｌａとの間には、通話線Ｌａを音声回路３４ｃに接続する状態と放送用低インピーダンス駆動回路３２の出力端に接続する状態とを択一的に切り替える第２の切替スイッチ３５が設けられている。すなわち、第１の切替スイッチ３３と第２の切替スイッチ３５が経路切替手段に相当し、増幅器３４ａから第１の切替スイッチ３３、音声回路３４ｃ、第２の切替スイッチ３５を介して通話線Ｌａに至る経路が個別通話用経路となり、増幅器３４ａから第１の切替スイッチ３３、放送用低インピーダンス駆動回路３２、第２の切替スイッチ３５を介して通話線Ｌａに至る経路が一斉放送用経路となる。ここで、音声回路３４ｃの出力インピーダンス（個別通話用経路の出力インピーダンス）は住戸機２の入力インピーダンスにほぼ等しい値に設定されているが、一斉放送用経路の出力インピーダンスは放送用低インピーダンス駆動回路３２によって住戸機２の入力インピーダンスよりも低いインピーダンスにインピーダンス変換される。なお、図示は省略するが、ロビーインターホン１に接続された通話線Ｌａを幹線装置４に接続された通話線Ｌａに接続する状態と接続しない状態を切り替える切替スイッチが管理室インターホン３に設けられており、ロビーインターホン１と何れかの住戸機２との間で個別通話が行われるときにだけ、上記切替スイッチがオンしてロビーインターホン１に接続された通話線Ｌａを幹線装置４に接続された通話線Ｌａに接続するようになっている。
【００３５】
管理室インターホン３にも住戸機２と同様に内部回路を制御するＣＰＵ（図示せず）が設けられ、ＣＰＵには制御線（図示せず）とのインタフェースとなる制御信号送受信回路（図示せず）が接続される。制御信号送受信回路は、ＣＰＵから出力された制御信号を制御線（図示せず）に送出し、制御線（図示せず）から受信した制御信号をＣＰＵに引き渡す機能を有する。
【００３６】
次に本実施形態の動作を説明する。まず、ロビーインターホン１と、ロビーインターホン１で選択された１台の住戸機２との間で個別通話する場合について説明する。ロビーインターホン１で選択された住戸機２に対して管理室インターホン３から制御線（図示せず）を介して制御信号（呼出コマンド）が伝送され、この制御信号に含まれるアドレスが一致した住戸機２では、そのＣＰＵが呼出コマンドに応じて住戸機リレーのリレー接点２９を閉成するとともに音声回路２４ｃを通じてスピーカ２１ｂから呼出音を送出させる。さらにロビーインターホン１に選択された住戸機１では、ＣＰＵがＦＭ復調部２５ａやモニタ２２を起動し、信号線Ｌｄを介して伝送されるＦＭ映像信号をＦＭ復調部２５ａで周波数復調してロビーインターホン１のカメラにおいて撮像された来訪者の映像をモニタ２２に表示させる。そして、ロビーインターホン１からの呼出に応答して居住者が住戸機２の応答釦（図示せず）を操作するとＣＰＵが音声回路２４ｃを起動する。
【００３７】
一方、管理室インターホン３では、呼出コマンドの送出後、ＣＰＵが図示しない切替スイッチをオンしてロビーインターホン１に接続された通話線Ｌａを幹線装置４に接続された通話線Ｌａに接続する。その結果、ロビーインターホン１と選択された住戸機２との間に通信路が確立されて個別通話が可能になるとともに、選択された住戸機２でのみロビーインターホン１のカメラで撮像された来訪者をモニタ２２に表示することが可能になる。
【００３８】
次に、管理室インターホン３と、管理室インターホン３で選択された１台の住戸機２との間で個別通話する場合について説明する。管理室インターホン３で選択された住戸機２に対して管理室インターホン３から制御線（図示せず）を介して制御信号（呼出コマンド）が伝送され、この制御信号に含まれるアドレスが一致した住戸機２では、そのＣＰＵが呼出コマンドに応じて住戸機リレーのリレー接点２９を閉成するとともに音声回路２４ｃを通じてスピーカ２１ｂから呼出音を送出させる。そして、管理室インターホン３からの呼出に応答して居住者が住戸機２の応答釦（図示せず）を操作するとＣＰＵが音声回路２４ｃを起動する。また管理室インターホン３では、ＣＰＵが図示しない切替スイッチをオフしてロビーインターホン１に接続された通話線Ｌａを幹線装置４に接続された通話線Ｌａから切り離し、さらに第１の切替スイッチ３３及び第２の切替スイッチ３５をそれぞれ音声回路３４ｃ側に切り替える。その結果、管理室インターホン３と選択された住戸機２との間に個別通話用経路を介した通信路が確立されて個別通話が可能になる。ここで、音声回路３４ｃの出力インピーダンスは放送用低インピーダンス駆動回路３２によって住戸機２の入力インピーダンスにほぼ等しい値に設定されているので、管理室インターホン３と１台の住戸機２との間では誘導ノイズに対する耐性の高い個別通話が行える。
【００３９】
最後に、集合住宅の管理室に設置された管理室インターホン３から複数の住戸機２に対して一斉放送を行う場合について説明する。
【００４０】
管理人が管理室インターホン３に設けられた一斉放送開始釦（図示せず）を操作すると、管理室インターホン３のＣＰＵが一斉放送の対象となる複数の住戸機２に対して制御線（図示せず）を介して制御信号（一斉放送開始コマンド）を伝送し、この一斉放送開始コマンドに応じて一斉放送の対象となっている全ての住戸機２のＣＰＵが住戸機リレーのリレー接点２９を閉成するとともに音声回路２４ｃを起動する。さらに、管理室インターホン３のＣＰＵは、図示しない切替スイッチをオフしてロビーインターホン１に接続された通話線Ｌａを幹線装置４に接続された通話線Ｌａから切り離すとともに、第１の切替スイッチ３３及び第２の切替スイッチ３５をそれぞれ放送用低インピーダンス駆動回路３２側に切り替える。その結果、管理室インターホン３と複数の住戸機２との間に一斉放送用経路を介した通信路が確立されて管理室インターホン３から複数の住戸機２への一斉放送が可能になる。ここで、放送用低インピーダンス駆動回路３２からみた負荷インピーダンスは一斉放送の対象となる住戸機２の台数が増加するにつれて低下することになるが、放送用低インピーダンス駆動回路３２によって一斉放送用経路の出力インピーダンスが住戸機２の入力インピーダンスよりも低いインピーダンスにインピーダンス変換されているため、図９に示した従来例のようにマッチングトランス１２２でインピーダンス整合を行う場合に比較して、一斉放送の対象となる住戸機２の台数が増加した場合でも音声信号の減衰を抑制することができる。
【００４１】
（実施形態２）
本実施形態は、個別通話用経路、一斉放送用経路、経路切替手段を幹線装置３に設けた点に特徴がある。従って、本実施形態の基本構成は実施形態１と共通であるから、共通の構成要素には同一の符号を付して説明を省略する。
【００４２】
幹線装置４には、図２に示すように出力インピーダンスを住戸機２の入力インピーダンスよりも低いインピーダンスにインピーダンス変換するための放送用低インピーダンス駆動回路４２と、通話線Ｌａを放送用低インピーダンス駆動回路４２の入力端に接続する状態と接続しない状態とを択一的に切り替える第１の切替スイッチ４３と、放送用低インピーダンス駆動回路４２の出力端を低周波通過部４０ａに接続する状態と接続しない状態とを択一的に切り替える第２の切替スイッチ４４とが設けられている。すなわち、第１の切替スイッチ４３と第２の切替スイッチ４４が経路切替手段に相当し、第１の切替スイッチ４３から放送用低インピーダンス駆動回路４２を介さずに第２の切替スイッチ４４を介して低周波通過部４０ａに至る経路が個別通話用経路となり、第１の切替スイッチ４３から放送用低インピーダンス駆動回路４２及び第２の切替スイッチ４４を介して低周波通過部４０ａに至る経路が一斉放送用経路となる。なお、本実施形態においては、管理室インターホン３には個別通話用経路、一斉放送用経路、経路切替手段が設けられていない。
【００４３】
また、本実施形態では幹線装置４にも住戸機２と同様に内部回路を制御するＣＰＵ（図示せず）が設けられ、ＣＰＵには制御線（図示せず）とのインタフェースとなる制御信号送受信回路（図示せず）が接続される。制御信号送受信回路は、ＣＰＵから出力された制御信号を制御線（図示せず）に送出し、制御線（図示せず）から受信した制御信号をＣＰＵに引き渡す機能を有する。
【００４４】
次に本実施形態の動作を説明する。まず、ロビーインターホン１と、ロビーインターホン１で選択された１台の住戸機２との間で個別通話する場合について説明する。ロビーインターホン１で選択された住戸機２に対して管理室インターホン３から制御線（図示せず）を介して制御信号（呼出コマンド）が伝送され、この制御信号に含まれるアドレスが一致した住戸機２では、そのＣＰＵが呼出コマンドに応じて住戸機リレーのリレー接点２９を閉成するとともに音声回路２４ｃを通じてスピーカ２１ｂから呼出音を送出させる。さらにロビーインターホン１に選択された住戸機１では、ＣＰＵがＦＭ復調部２５ａやモニタ２２を起動し、信号線Ｌｄを介して伝送されるＦＭ映像信号をＦＭ復調部２５ａで周波数復調してロビーインターホン１のカメラにおいて撮像された来訪者の映像をモニタ２２に表示させる。そして、ロビーインターホン１からの呼出に応答して居住者が住戸機２の応答釦（図示せず）を操作するとＣＰＵが音声回路２４ｃを起動する。
【００４５】
一方、幹線装置４では、呼出コマンドが伝送されたことを検出したＣＰＵが、第１及び第２の切替スイッチ４３，４４を切り替えて第１の切替スイッチ４３から放送用低インピーダンス駆動回路４２を介さずに第２の切替スイッチ４４を介して低周波通過部４０ａに至る個別通話用経路を形成する。その結果、ロビーインターホン１と選択された住戸機２との間に個別通話用経路を介して通信路が確立されて個別通話が可能になるとともに、選択された住戸機２でのみロビーインターホン１のカメラで撮像された来訪者をモニタ２２に表示することが可能になる。なお、管理室インターホン３と、管理室インターホン３で選択された１台の住戸機２との間で個別通話する場合については、ロビーインターホン１と住戸機２との個別通話の場合とほとんど共通であるから説明を省略する。
【００４６】
次に、管理室インターホン３から複数の住戸機２に対して一斉放送を行う場合について説明する。
【００４７】
管理人が管理室インターホン３に設けられた一斉放送開始釦（図示せず）を操作すると、管理室インターホン３のＣＰＵが一斉放送の対象となる複数の住戸機２並びに幹線装置４に対して制御線（図示せず）を介して制御信号（一斉放送開始コマンド）を伝送し、この一斉放送開始コマンドに応じて一斉放送の対象となっている全ての住戸機２のＣＰＵが住戸機リレーのリレー接点２９を閉成するとともに音声回路２４ｃを起動する。さらに、管理室インターホン３のＣＰＵは、図示しない切替スイッチをオフしてロビーインターホン１に接続された通話線Ｌａを幹線装置４に接続された通話線Ｌａから切り離す。
【００４８】
一方、幹線装置４では、一斉放送開始コマンドに応じて、ＣＰＵが第１及び第２の切替スイッチ４３，４４を切り替えて第１の切替スイッチ４３から放送用低インピーダンス駆動回路４２並びに第２の切替スイッチ４４を介して低周波通過部４０ａに至る一斉放送用経路を形成する。その結果、管理室インターホン３と複数の住戸機２との間に一斉放送用経路を介した通信路が確立されて管理室インターホン３から複数の住戸機２への一斉放送が可能になる。ここで、放送用低インピーダンス駆動回路４２からみた負荷インピーダンスは一斉放送の対象となる住戸機２の台数が増加するにつれて低下することになるが、一斉放送用経路の出力インピーダンスが放送用低インピーダンス駆動回路４２によって住戸機２の入力インピーダンスよりも低いインピーダンスにインピーダンス変換されるため、図９に示した従来例のようにマッチングトランス１２２でインピーダンス整合を行う場合に比較して、一斉放送の対象となる住戸機２の台数が増加した場合でも音声信号の減衰を抑制することができる。
【００４９】
上述のように本実施形態では、個別通話用経路、一斉放送用経路、経路切替手段を幹線装置３に設けているので、個別通話用経路、一斉放送用経路、経路切替手段を具備しない安価な管理室インターホン３を用いることができる。
【００５０】
なお、本実施形態では幹線装置４にＣＰＵや制御信号送受信部を設け、管理室インターホン３から制御線（図示せず）を介して伝送される制御信号に応じて第１及び第２の切替スイッチ４３，４４を切り替える構成としたが、例えば、個別通話時に選択された住戸機２から信号線Ｌｄに直流電圧を重畳し、幹線装置４において信号線Ｌｄに重畳された直流電圧を検出することで第１及び第２の切替スイッチ４３，４４を切り替える構成としても構わない。
【００５１】
（実施形態３）
本実施形態は、幹線装置４が複数系統の幹線をロビーインターホン１並びに管理室インターホン３に選択的に接続する機能と、各幹線毎に設けられる個別通話用経路と、１つの幹線を除く他の全ての幹線毎に設けられる一斉放送用経路と、各幹線毎に個別通話用経路と一斉放送用経路を切り替える経路切替手段とを具備する点に特徴がある。但し、本実施形態の基本構成は実施形態１と共通であるから、共通の構成要素には同一の符号を付して説明を省略する。
【００５２】
幹線装置４においては、図３に示すように複数系統（図示例では３系統）の幹線Ｌ１ａ，Ｌ１ｂ，Ｌ１ｃと接続され、ロビーインターホン１から映像線Ｌｂを介して伝送されるＦＭ映像信号の伝送経路を３つの経路に分配し、分配された各経路毎に映像増幅器４１ａ，４１ｂ，４１ｃ並びに高周波通過部４０ｂが設けられ、これら３つの映像増幅器４１ａ，４１ｂ，４１ｃ及び高周波通過部４０ｂに各系統の幹線Ｌ１ａ，Ｌ１ｂ，Ｌ１ｃに含まれる信号線Ｌｄが各別に接続されている。また、管理室インターホン３から通話線Ｌａを介して伝送される音声信号の伝送経路を３つの経路に分岐し、分岐された各経路が第３の切替スイッチ４５ａ，４５ｂ，４５ｃ並びに低周波通過部４０ａを介して各系統の信号線Ｌｄと各別に接続されている。さらに幹線装置４は、出力インピーダンスを住戸機２の入力インピーダンスよりも低いインピーダンスにインピーダンス変換し音声信号の伝送経路から分岐された２つの経路にそれぞれ設けられた放送用低インピーダンス駆動回路４２ａ，４２ｂ並びに低周波通過部４０ａ，４０ａと、３系統の幹線Ｌ１ａ，Ｌ１ｂ，Ｌ１ｃのうちの１系統（例えば、Ｌ１ｃ）を除く他の全ての系統（例えば、Ｌ１ａ，Ｌ１ｂ）の信号線Ｌｄに対して放送用低インピーダンス駆動回路４２ａ，４２ｂと低周波通過部４０ａ，４０ａを接続する状態と接続しない状態とを択一的に切り替える第４の切替スイッチ４６ａ，４６ｂとを具備している。すなわち、本実施形態においては、第３の切替スイッチ４５ａ，４５ｂ，４５ｃと第４の切替スイッチ４６ａ，４６ｂと第１及び第２の切替スイッチ３３，３５が経路切替手段に相当し、第３の切替スイッチ４５ａ又は４５ｂ又は４５ｃと低周波通過部４０ａを通る経路が個別通話用経路となり、放送用低インピーダンス駆動回路４２ａ又は４２ｂと低周波通過部４０ａと第４の切替スイッチ４６ａ又は４６ｂを通る経路が一斉放送用経路となる。
【００５３】
本実施形態における住戸機２は実施形態１と同一構成であって、何れかの系統の幹線Ｌ１ａ，Ｌ１ｂ，Ｌ１ｃから分岐器７で分岐された住戸別線Ｌ２に接続されている。また、管理室インターホン３も実施形態１と同一構成であって、個別通話用経路、一斉放送用経路、経路切替手段を具備している。
【００５４】
次に本実施形態の動作を説明する。まず、ロビーインターホン１と、ロビーインターホン１で選択された１台の住戸機２との間で個別通話する場合について説明する。ロビーインターホン１で選択された住戸機２に対して管理室インターホン３から制御線（図示せず）を介して制御信号（呼出コマンド）が伝送され、この制御信号に含まれるアドレスが一致した住戸機２では、そのＣＰＵが呼出コマンドに応じて住戸機リレーのリレー接点２９を閉成するとともに音声回路２４ｃを通じてスピーカ２１ｂから呼出音を送出させる。さらにロビーインターホン１に選択された住戸機２では、ＣＰＵがＦＭ復調部２５ａやモニタ２２を起動し、信号線Ｌｄを介して伝送されるＦＭ映像信号をＦＭ復調部２５ａで周波数復調してロビーインターホン１のカメラにおいて撮像された来訪者の映像をモニタ２２に表示させる。そして、ロビーインターホン１からの呼出に応答して居住者が住戸機２の応答釦を操作するとＣＰＵが音声回路２４ｃを起動する。
【００５５】
一方、管理室インターホン３では、呼出コマンドの送出後、ＣＰＵが図示しない切替スイッチをオンしてロビーインターホン１に接続された通話線Ｌａを幹線装置４に接続された通話線Ｌａに接続する。
【００５６】
また幹線装置４においては、呼出コマンドが伝送されたことを検出したＣＰＵが、第３の切替スイッチ４５ａ，４５ｂ，４５ｃの何れか１つを閉成することで選択された住戸機２が接続されている幹線Ｌ１ａ又はＬ１ｂ又はＬ１ｃのみに通話線Ｌａを接続するとともに、第４の切替スイッチ４６ａ，４６ｂを全て開成する。その結果、ロビーインターホン１と選択された住戸機２との間に幹線装置４における個別通話用経路（第３の切替スイッチ４５ａ又は４５ｂ又は４５ｃと低周波通過部４０ａを通る経路）を介した通信路が確立されて個別通話が可能になるとともに、選択された住戸機２でのみロビーインターホン１のカメラで撮像された来訪者をモニタ２２に表示することが可能になる。
【００５７】
次に、管理室インターホン３と、管理室インターホン３で選択された１台の住戸機２との間で個別通話する場合について説明する。管理室インターホン３で選択された住戸機２に対して管理室インターホン３から制御線（図示せず）を介して制御信号（呼出コマンド）が伝送され、この制御信号に含まれるアドレスが一致した住戸機２では、そのＣＰＵが呼出コマンドに応じて住戸機リレーのリレー接点２９を閉成するとともに音声回路２４ｃを通じてスピーカ２１ｂから呼出音を送出させる。そして、管理室インターホン３からの呼出に応答して居住者が住戸機２の応答釦を操作するとＣＰＵが音声回路２４ｃを起動する。また管理室インターホン３では、ＣＰＵが図示しない切替スイッチをオフしてロビーインターホン１に接続された通話線Ｌａを幹線装置４に接続された通話線Ｌａから切り離し、さらに第１の切替スイッチ３３及び第２の切替スイッチ３５をそれぞれ音声回路３４ｃ側に切り替えて放送用低インピーダンス駆動回路３２を通らない経路を形成する。
【００５８】
また幹線装置４においては、呼出コマンドが伝送されたことを検出したＣＰＵが、第３の切替スイッチ４５ａ，４５ｂ，４５ｃの何れか１つを閉成することで選択された住戸機２が接続されている幹線Ｌ１ａ又はＬ１ｂ又はＬ１ｃのみに通話線Ｌａを接続するとともに、第４の切替スイッチ４６ａ，４６ｂを全て開成する。その結果、管理室インターホン３と選択された住戸機２との間に幹線装置４における個別通話用経路（第３の切替スイッチ４５ａ又は４５ｂ又は４５ｃと低周波通過部４０ａを通る経路）を介した通信路が確立されて個別通話が可能になる。なお、ロビーインターホン１又は管理室インターホン３と１台の住戸機２との間では、音声回路３４ｃの出力インピーダンスが住戸機２の入力インピーダンスにほぼ等しい値に設定されているために誘導ノイズに対する耐性の高い個別通話が行える。
【００５９】
最後に、管理室インターホン３から複数の住戸機２に対して一斉放送を行う場合について説明する。
【００６０】
管理人が管理室インターホン３に設けられた一斉放送開始釦を操作すると、管理室インターホン３のＣＰＵが一斉放送の対象となる複数の住戸機２並びに幹線装置４に対して制御線（図示せず）を介して制御信号（一斉放送開始コマンド）を伝送し、この一斉放送開始コマンドに応じて一斉放送の対象となっている全ての住戸機２のＣＰＵが住戸機リレーのリレー接点２９を閉成するとともに音声回路２４ｃを起動する。さらに、管理室インターホン３のＣＰＵは、図示しない切替スイッチをオフしてロビーインターホン１に接続された通話線Ｌａを幹線装置４に接続された通話線Ｌａから切り離すとともに、幹線Ｌ１ｃに接続されている住戸機２が一斉放送の対象に含まれている場合にだけ第１の切替スイッチ３３及び第２の切替スイッチ３５をそれぞれ放送用低インピーダンス駆動回路３２側に切り替える。
【００６１】
一方、幹線装置４では、一斉放送開始コマンドに応じて、ＣＰＵが第３の切替スイッチ４５ａ，４５ｂ，４５ｃを全て開成するとともに幹線Ｌ１ａに接続されている住戸機２が一斉放送の対象に含まれていれば第４の切替スイッチ４６ａを閉成し、且つ幹線Ｌ１ｂに接続されている住戸機２が一斉放送の対象に含まれていれば第４の切替スイッチ４６ｂを閉成する。その結果、管理室インターホン３と複数の住戸機２との間に幹線装置４における一斉放送用経路（第４の切替スイッチ４６ａ，４６ｂと低周波通過部４０ａを通る経路）を介した通信路が確立されて管理室インターホン３から複数の住戸機２への一斉放送が可能になる。
【００６２】
而して、３系統の幹線Ｌ１ａ，Ｌ１ｂ，Ｌ１ｃのうちの１系統の幹線Ｌ１ｃについては、管理室インターホン３に設けられた放送用低インピーダンス駆動回路３２で一斉放送の対象に含まれる住戸機２の負荷インピーダンスが駆動され、他の２系統の幹線Ｌ１ａ，Ｌ１ｂについては、幹線装置４に設けられた放送用低インピーダンス駆動回路４２ａ，４２ｂで一斉放送の対象に含まれる住戸機２の負荷インピーダンスが駆動されて各住戸機２で一斉放送が聴取可能となる。
【００６３】
上述のように本実施形態によれば、複数系統の幹線Ｌ１ａ，Ｌ１ｂ，Ｌ１ｃのうちの１系統の幹線Ｌ１ｃについては管理室インターホン３が有する一斉放送用経路を利用することにより、幹線装置４に設ける一斉放送用経路並びに第４の切替スイッチを減らすことができるという利点がある。
【００６４】
（実施形態４）
本実施形態は、図４に示すように幹線装置４の構成に特徴があり、その他の構成については実施形態３と共通であるから、共通の構成には同一の符号を付して説明を省略する。
【００６５】
本実施形態における幹線装置４が実施形態３のものと異なる点は、１つの映像増幅器４１の出力端を複数系統（図示例では３系統）の幹線Ｌ１ａ，Ｌ１ｂ，Ｌ１ｃに択一的に切り替えて接続する映像信号切替スイッチ４７を備え、映像信号切替スイッチ４７に入力するＦＭ映像信号に低周波通過部４０ａを介して個別通話用の音声信号を多重化するようにした点にある。すなわち、実施形態３においてはロビーインターホン１から映像線Ｌｂを介して伝送されてくるＦＭ映像信号が常に全ての幹線Ｌ１ａ，Ｌ１ｂ，Ｌ１ｃに分配されて伝送されているが、本実施形態においてはロビーインターホン１から選択された住戸機２が接続されている何れか１系統の幹線Ｌ１ａ又はＬ１ｂ又はＬ１ｃのみにＦＭ映像信号が伝送されることになる。
【００６６】
次に本実施形態の動作を説明する。まず、ロビーインターホン１と、ロビーインターホン１で選択された１台の住戸機２との間で個別通話する場合について説明する。ロビーインターホン１で選択された住戸機２に対して管理室インターホン３から制御線（図示せず）を介して制御信号（呼出コマンド）が伝送され、この制御信号に含まれるアドレスが一致した住戸機２では、そのＣＰＵが呼出コマンドに応じて住戸機リレーのリレー接点２９を閉成するとともに音声回路２４ｃを通じてスピーカ２１ｂから呼出音を送出させる。呼出コマンドを検出した幹線装置４のＣＰＵは、映像信号切替スイッチ４７を制御して選択された住戸機２が接続されている幹線Ｌ１ａ又はＬ１ｂ又はＬ１ｃに切り替える。その結果、ロビーインターホン１に選択された住戸機２では、ＣＰＵがＦＭ復調部２５ａやモニタ２２を起動し、信号線Ｌｄを介して伝送されるＦＭ映像信号をＦＭ復調部２５ａで周波数復調してロビーインターホン１のカメラにおいて撮像された来訪者の映像をモニタ２２に表示させることができる。そして、ロビーインターホン１からの呼出に応答して居住者が住戸機２の応答釦を操作するとＣＰＵが音声回路２４ｃを起動する。
【００６７】
一方、管理室インターホン３では、呼出コマンドの送出後、ＣＰＵが図示しない切替スイッチをオンしてロビーインターホン１に接続された通話線Ｌａを幹線装置４に接続された通話線Ｌａに接続する。
【００６８】
また幹線装置４のＣＰＵは、上述のように映像信号切替スイッチ４７を制御して選択された住戸機２が接続されている幹線Ｌ１ａ又はＬ１ｂ又はＬ１ｃに切り替えるとともに、第４の切替スイッチ４６ａ，４６ｂを全て開成する。その結果、ロビーインターホン１と選択された住戸機２との間に幹線装置４における個別通話用経路（低周波通過部４０ａと映像信号切替スイッチ４７を通る経路）を介した通信路が確立されて個別通話が可能になるとともに、選択された住戸機２でのみロビーインターホン１のカメラで撮像された来訪者をモニタ２２に表示することが可能になる。なお、管理室インターホン３と、管理室インターホン３で選択された１台の住戸機２との間で個別通話する場合については、ロビーインターホン１と住戸機２との個別通話の場合とほとんど共通であるから説明を省略する。
【００６９】
次に、管理室インターホン３から複数の住戸機２に対して一斉放送を行う場合について説明する。
【００７０】
管理人が管理室インターホン３に設けられた一斉放送開始釦を操作すると、管理室インターホン３のＣＰＵが一斉放送の対象となる複数の住戸機２並びに幹線装置４に対して制御線（図示せず）を介して制御信号（一斉放送開始コマンド）を伝送し、この一斉放送開始コマンドに応じて一斉放送の対象となっている全ての住戸機２のＣＰＵが住戸機リレーのリレー接点２９を閉成するとともに音声回路２４ｃを起動する。さらに、管理室インターホン３のＣＰＵは、図示しない切替スイッチをオフしてロビーインターホン１に接続された通話線Ｌａを幹線装置４に接続された通話線Ｌａから切り離すとともに、幹線Ｌ１ｃに接続されている住戸機２が一斉放送の対象に含まれている場合にだけ第１の切替スイッチ３３及び第２の切替スイッチ３５をそれぞれ放送用低インピーダンス駆動回路３２側に切り替える。
【００７１】
一方、幹線装置４では、一斉放送開始コマンドに応じて、ＣＰＵが幹線Ｌ１ａに接続されている住戸機２が一斉放送の対象に含まれていれば第４の切替スイッチ４６ａを閉成し、且つ幹線Ｌ１ｂに接続されている住戸機２が一斉放送の対象に含まれていれば第４の切替スイッチ４６ｂを閉成する。その結果、管理室インターホン３と複数の住戸機２との間に幹線装置４における一斉放送用経路（第４の切替スイッチ４６ａ，４６ｂと低周波通過部４０ａを通る経路）を介した通信路が確立されて管理室インターホン３から複数の住戸機２への一斉放送が可能になる。
【００７２】
而して、実施形態３と同様に３系統の幹線Ｌ１ａ，Ｌ１ｂ，Ｌ１ｃのうちの１系統の幹線Ｌ１ｃについては、管理室インターホン３に設けられた放送用低インピーダンス駆動回路３２で一斉放送の対象に含まれる住戸機２の負荷インピーダンスが駆動され、他の２系統の幹線Ｌ１ａ，Ｌ１ｂについては、幹線装置４に設けられた放送用低インピーダンス駆動回路４２ａ，４２ｂで一斉放送の対象に含まれる住戸機２の負荷インピーダンスが駆動されて各住戸機２で一斉放送が聴取可能となる。
【００７３】
しかも本実施形態においては、３系統の幹線Ｌ１ａ，Ｌ１ｂ，Ｌ１ｃにＦＭ映像信号を分配するに当たって１つの映像増幅器４１を全ての幹線Ｌ１ａ，Ｌ１ｂ，Ｌ１ｃで共用しているため、実施形態３に比較して回路構成が簡素できるという利点がある。
【００７４】
（実施形態５）
本実施形態は、実施形態３に対して個別通話用経路、一斉放送用経路、経路切替手段を幹線装置３のみに設けた点に特徴がある。従って、本実施形態の基本構成は実施形態３と共通であるから、共通の構成要素には同一の符号を付して説明を省略する。
【００７５】
本実施形態における幹線装置４では、図５に示すように全ての幹線Ｌ１ａ，Ｌ１ｂ，Ｌ１ｃについて放送用低インピーダンス駆動回路４２ａ，４２ｂ，４２ｃと低周波通過部４０ａ，４０ａ，４０ａと第４の切替スイッチ４６ａ，４６ｂ，４６ｃとが設けられるとともに、通話線Ｌａを第３の切替スイッチ４５ａ，４５ｂ，４５ｃに接続する状態、すなわち、個別通話用経路を形成する状態と、通話線Ｌａを放送用低インピーダンス駆動回路４２ａ，４２ｂ，４２ｃに接続する状態、すなわち、一斉放送用経路を形成する状態とに択一的に切り替える第５の切替スイッチ４８が設けられている。すなわち、本実施形態においては、第４の切替スイッチ４６ａ，４６ｂ，４６ｃと第５の切替スイッチ４８が経路切替手段に相当する。
【００７６】
本実施形態における住戸機２は実施形態１〜４と同一構成であって、何れかの系統の幹線Ｌ１ａ，Ｌ１ｂ，Ｌ１ｃから分岐器７で分岐された住戸別線Ｌ２に接続されている。また、管理室インターホン３は実施形態２と同一構成であって、個別通話用経路、一斉放送用経路、経路切替手段を具備していない。
【００７７】
次に本実施形態の動作を説明する。まず、ロビーインターホン１と、ロビーインターホン１で選択された１台の住戸機２との間で個別通話する場合について説明する。ロビーインターホン１で選択された住戸機２に対して管理室インターホン３から制御線（図示せず）を介して制御信号（呼出コマンド）が伝送され、この制御信号に含まれるアドレスが一致した住戸機２では、そのＣＰＵが呼出コマンドに応じて住戸機リレーのリレー接点２９を閉成するとともに音声回路２４ｃを通じてスピーカ２１ｂから呼出音を送出させる。さらにロビーインターホン１に選択された住戸機２では、ＣＰＵがＦＭ復調部２５ａやモニタ２２を起動し、信号線Ｌｄを介して伝送されるＦＭ映像信号をＦＭ復調部２５ａで周波数復調してロビーインターホン１のカメラにおいて撮像された来訪者の映像をモニタ２２に表示させる。そして、ロビーインターホン１からの呼出に応答して居住者が住戸機２の応答釦を操作するとＣＰＵが音声回路２４ｃを起動する。
【００７８】
一方、管理室インターホン３では、呼出コマンドの送出後、ＣＰＵが図示しない切替スイッチをオンしてロビーインターホン１に接続された通話線Ｌａを幹線装置４に接続された通話線Ｌａに接続する。
【００７９】
また幹線装置４においては、呼出コマンドが伝送されたことを検出したＣＰＵが、第５の切替スイッチ４８を第３の切替スイッチ４５ａ，４５ｂ，４５ｃの側に切り替えるとともに、第３の切替スイッチ４５ａ，４５ｂ，４５ｃの何れか１つを閉成することで選択された住戸機２が接続されている幹線Ｌ１ａ又はＬ１ｂ又はＬ１ｃのみに通話線Ｌａを接続する。その結果、ロビーインターホン１と選択された住戸機２との間に幹線装置４における個別通話用経路（第５の切替スイッチ４８と第３の切替スイッチ４５ａ又は４５ｂ又は４５ｃと低周波通過部４０ａを通る経路）を介した通信路が確立されて個別通話が可能になるとともに、選択された住戸機２でのみロビーインターホン１のカメラで撮像された来訪者をモニタ２２に表示することが可能になる。なお、管理室インターホン３と、管理室インターホン３で選択された１台の住戸機２との間で個別通話する場合については、ロビーインターホン１と住戸機２との個別通話の場合とほとんど共通であるから説明を省略する。
【００８０】
次に、管理室インターホン３から複数の住戸機２に対して一斉放送を行う場合について説明する。
【００８１】
管理人が管理室インターホン３に設けられた一斉放送開始釦を操作すると、管理室インターホン３のＣＰＵが一斉放送の対象となる複数の住戸機２並びに幹線装置４に対して制御線（図示せず）を介して制御信号（一斉放送開始コマンド）を伝送し、この一斉放送開始コマンドに応じて一斉放送の対象となっている全ての住戸機２のＣＰＵが住戸機リレーのリレー接点２９を閉成するとともに、図示しない切替スイッチをオフしてロビーインターホン１に接続された通話線Ｌａを幹線装置４に接続された通話線Ｌａから切り離し、さらに音声回路２４ｃを起動する。
【００８２】
一方、幹線装置４では、一斉放送開始コマンドに応じて、ＣＰＵが第５の切替スイッチ４８を一斉放送用低インピーダンス駆動回路４２ａ，４２ｂ，４２ｃの側に切り替えるとともに、一斉放送の対象に含まれている住戸機２が接続されている幹線Ｌ１ａ，Ｌ１ｂ，Ｌ１ｃに対応した第４の切替スイッチ４６ａ，４６ｂ，４６ｃのみを閉成する。その結果、管理室インターホン３と複数の住戸機２との間に幹線装置４における一斉放送用経路（第５の切替スイッチ４８と第４の切替スイッチ４６ａ，４６ｂ，４６ｃと低周波通過部４０ａを通る経路）を介した通信路が確立されて管理室インターホン３から複数の住戸機２への一斉放送が可能になる。
【００８３】
なお、本実施形態においても、図６に示すように実施形態４と同様に映像信号切替スイッチ４７を設けて１つの映像増幅器４１を全ての幹線Ｌ１ａ，Ｌ１ｂ，Ｌ１ｃで共用する構成としても構わない。
【００８４】
さらに、図７に示すように映像信号切替スイッチ４７に開放端子（何れの幹線Ｌ１ａ，Ｌ１ｂ，Ｌ１ｃとも接続されない端子）を設け、一斉放送が行われている間は映像信号切替スイッチ４７を開放端子４７ａに切り替えて一斉放送時に映像増幅器４１の出力端を何れの幹線Ｌ１ａ，Ｌ１ｂ，Ｌ１ｃからも切り離すようにすれば、映像増幅器４１の音声信号帯域に対する出力のインピーダンスの影響で一斉放送の音声信号が減衰することを防止できるという利点がある。
【００８５】
（実施形態６）
本実施形態は、１系統の幹線を複数系統の幹線に分配する機能と、各幹線毎に設けられる個別通話用経路並びに一斉放送用経路と、各幹線毎に個別通話用経路と一斉放送用経路を切り替える経路切替手段とを具備した幹線分配装置５を備えた点に特徴がある。但し、本実施形態の基本構成は実施形態５と共通であるから、共通の構成要素には同一の符号を付して説明を省略する。
【００８６】
図８に示すように幹線装置４で分配された幹線に幹線分配装置５を接続することでさらに複数系統の幹線に分配することができる。この幹線分配装置５は、入力側及び出力側に低周波信号を阻止するためのコンデンサが設けられ、１系統の幹線（図示例ではＬ１ｂ）から入力されるＦＭ映像信号を増幅する映像増幅器５１と、映像増幅器４１の出力端を複数系統（図示例では３系統）の幹線Ｌ１ba，Ｌ１bb，Ｌ１bc又は開放端子５２ａに択一的に切り替えて接続する切替スイッチ５２と、映像増幅器４１の入力端に一端が接続された低周波通過部５３と、映像増幅器４１の出力端に一端が接続された低周波通過部５４と、出力インピーダンスを住戸機２の入力インピーダンスよりも低いインピーダンスにインピーダンス変換する複数（図示例では３つ）の放送用低インピーダンス駆動回路５５ａ，５５ｂ，５５ｃと、各放送用低インピーダンス駆動回路５５ａ，５５ｂ，５５ｃの出力端に接続された複数（図示例では３つ）の低周波通過部５６と、３つの放送用低インピーダンス駆動回路５５ａ，５５ｂ，５５ｃの出力端を各々低周波通過部５６を介して各系統の幹線Ｌ１ａ，Ｌ１ｂ，Ｌ１ｃの信号線Ｌｄに選択的に接続する接続スイッチ５７ａ，５７ｂ，５７ｃと、低周波通過部５３の他端を低周波通過部５４の他端と一斉放送用低インピーダンス駆動回路５５ａ，５５ｂ，５５ｃの入力端とに択一的に切り替える経路切替スイッチ５８とを備えている。すなわち、幹線分配装置５においては、幹線Ｌ１ｂから入力されたＦＭ映像信号と音声信号を分離し、さらに分離した音声信号の伝送経路として低周波通過部５４のみを通る経路（個別通話用経路）と、一斉放送用低インピーダンス駆動回路５５ａ又は５５ｂ又は５５ｃと低周波通過部５６と接続スイッチ５７ａ又は５７ｂ又は５７ｃを通る経路（一斉放送用経路）とが択一的に選択可能となっている。
【００８７】
また、本実施形態では幹線分配装置５にも幹線装置４と同様に内部回路を制御するＣＰＵ（図示せず）が設けられ、ＣＰＵには制御線（図示せず）とのインタフェースとなる制御信号送受信回路（図示せず）が接続される。制御信号送受信回路は、ＣＰＵから出力された制御信号を制御線（図示せず）に送出し、制御線（図示せず）から受信した制御信号をＣＰＵに引き渡す機能を有する。
【００８８】
次に本実施形態の動作を説明する。但し、幹線分配装置５以外のロビーインターホン１、住戸機２、管理室インターホン３、幹線装置４の動作は実施形態５とほぼ共通であるから説明は適宜省略し、幹線分配装置５の動作を中心に説明する。
【００８９】
まず、ロビーインターホン１と、ロビーインターホン１で選択された１台の住戸機２との間で個別通話する場合について説明する。ロビーインターホン１で選択された住戸機２に対して管理室インターホン３から制御線（図示せず）を介して制御信号（呼出コマンド）が伝送され、この制御信号に含まれるアドレスが一致した住戸機２では、そのＣＰＵが呼出コマンドに応じて住戸機リレーのリレー接点２９を閉成するとともに音声回路２４ｃを通じてスピーカ２１ｂから呼出音を送出させる。さらにロビーインターホン１に選択された住戸機２では、ＣＰＵがＦＭ復調部２５ａやモニタ２２を起動し、信号線Ｌｄを介して伝送されるＦＭ映像信号をＦＭ復調部２５ａで周波数復調してロビーインターホン１のカメラにおいて撮像された来訪者の映像をモニタ２２に表示させる。そして、ロビーインターホン１からの呼出に応答して居住者が住戸機２の応答釦を操作するとＣＰＵが音声回路２４ｃを起動する。
【００９０】
一方、管理室インターホン３では、呼出コマンドの送出後、ＣＰＵが図示しない切替スイッチをオンしてロビーインターホン１に接続された通話線Ｌａを幹線装置４に接続された通話線Ｌａに接続する。
【００９１】
また幹線装置４においては、呼出コマンドが伝送されたことを検出したＣＰＵが、経路切替スイッチ４８を映像信号切替スイッチ４７の側に切り替えるとともに、映像信号切替スイッチ４７を選択された住戸機２が接続されている幹線（例えば、Ｌ１ｂ）に切り替える。さらに幹線分配装置５において、呼出コマンドが伝送されたことを検出したＣＰＵが、経路切替スイッチ５８を低周波通過部５４の側に切り替えるとともに、切替スイッチ５２を選択された住戸機２が接続されている幹線（例えば、Ｌ１ba）に切り替える。その結果、ロビーインターホン１と選択された住戸機２との間に幹線装置４における個別通話用経路（第５の切替スイッチ４８と第３の切替スイッチ４５ａ又は４５ｂ又は４５ｃと低周波通過部４０ａを通る経路）、並びに幹線分配装置５における個別通話用経路（低周波通過部５３と経路切替スイッチ５８と低周波通過部５４を通る経路）を介した通信路が確立されて個別通話が可能になるとともに、選択された住戸機２でのみロビーインターホン１のカメラで撮像された来訪者をモニタ２２に表示することが可能になる。なお、管理室インターホン３と、管理室インターホン３で選択された１台の住戸機２との間で個別通話する場合については、ロビーインターホン１と住戸機２との個別通話の場合とほとんど共通であるから説明を省略する。
【００９２】
次に、管理室インターホン３から複数の住戸機２に対して一斉放送を行う場合について説明する。
【００９３】
管理人が管理室インターホン３に設けられた一斉放送開始釦を操作すると、管理室インターホン３のＣＰＵが一斉放送の対象となる複数の住戸機２並びに幹線装置４に対して制御線（図示せず）を介して制御信号（一斉放送開始コマンド）を伝送し、この一斉放送開始コマンドに応じて一斉放送の対象となっている全ての住戸機２のＣＰＵが住戸機リレーのリレー接点２９を閉成するとともに、図示しない切替スイッチをオフしてロビーインターホン１に接続された通話線Ｌａを幹線装置４に接続された通話線Ｌａから切り離し、さらに音声回路２４ｃを起動する。
【００９４】
一方、幹線装置４では、一斉放送開始コマンドに応じて、ＣＰＵが第５の切替スイッチ４８を一斉放送用低インピーダンス駆動回路４２ａ，４２ｂ，４２ｃの側に切り替えるとともに、一斉放送の対象に含まれている住戸機２が接続されている幹線Ｌ１ａ，Ｌ１ｂ，Ｌ１ｃに対応した第４の切替スイッチ４６ａ，４６ｂ，４６ｃのみを閉成する。また、幹線分配装置５では、一斉放送開始コマンドに応じて、ＣＰＵが経路切替スイッチ５８を一斉放送用低インピーダンス駆動回路５５ａ，５５ｂ，５５ｃの側に切り替えるとともに、一斉放送の対象に含まれている住戸機２が接続されている幹線Ｌ１ba，Ｌ１bb，Ｌ１bcに対応した接続スイッチ５７ａ，５７ｂ，５７ｃのみを閉成する。その結果、管理室インターホン３と複数の住戸機２との間に幹線装置４における一斉放送用経路（第５の切替スイッチ４８と第４の切替スイッチ４６ａ，４６ｂ，４６ｃと低周波通過部４０ａを通る経路）、並びに幹線分配装置５における一斉放送用経路（低周波通過部５３と経路切替スイッチ５８と一斉放送用低インピーダンス駆動回路５５ａ，５５ｂ，５５ｃと低周波通過部５６と接続スイッチ５７ａ，５７ｂ，５７ｃを通る経路）を介した通信路が確立されて管理室インターホン３から複数の住戸機２への一斉放送が可能になる。ここで、放送用低インピーダンス駆動回路５５ａ，５５ｂ，５５ｃからみた負荷インピーダンスは一斉放送の対象となる住戸機２の台数が増加するにつれて低下することになるが、放送用低インピーダンス駆動回路５５ａ，５５ｂ，５５ｃによって一斉放送用経路の出力インピーダンスが住戸機２の入力インピーダンスよりも低いインピーダンスにインピーダンス変換されるため、幹線分配装置５で幹線を多系統に分配する場合においても音声信号の減衰を抑制することができる。
【００９５】
なお、本実施形態では幹線分配装置５にＣＰＵや制御信号送受信部を設け、管理室インターホン３から制御線（図示せず）を介して伝送される制御信号に応じて切替スイッチ５２、接続スイッチ５７ａ，５７ｂ，５７ｃ、経路切替スイッチ５８を切り替える構成としたが、例えば、個別通話時に選択された住戸機２から信号線Ｌｄに直流電圧を重畳し、幹線分配装置５において信号線Ｌｄに重畳された直流電圧を検出することで上記各スイッチを切り替える構成としても構わない。
【図面の簡単な説明】
【００９６】
【図１】本発明の実施形態１を示すシステム構成図である。
【図２】本発明の実施形態２を示すシステム構成図である。
【図３】本発明の実施形態３を示すシステム構成図である。
【図４】本発明の実施形態４を示すシステム構成図である。
【図５】本発明の実施形態５を示すシステム構成図である。
【図６】同上の他の構成を示すシステム構成図である。
【図７】同上のさらに他の構成を示すシステム構成図である。
【図８】本発明の実施形態６を示すシステム構成図である。
【図９】従来例を示すシステム構成図である。
【符号の説明】
【００９７】
１  ロビーインターホン（共用部装置）
２  住戸機
３  管理室インターホン（通話装置）
４  幹線装置
３１ａ  マイクロホン
３２  放送用低インピーダンス駆動回路
３３  第１の切替スイッチ
３４ａ  増幅器
３５  第２の切替スイッチ
Ｌ１  幹線
Ｌａ  通話線
Ｌｄ  信号線
【図１】
2006333384.tif 000003
【図２】
2006333384.tif 000004
【図３】
2006333384.tif 000005
【図４】
2006333384.tif 000006
【図５】
2006333384.tif 000007
【図６】
2006333384.tif 000008
【図７】
2006333384.tif 000009
【図８】
2006333384.tif 000010
【図９】
2006333384.tif 000011